(57)【要約】      （修正有）【課題】画面上で所望の位置を指定する際に意図しない領域を指定するおそれがあり、誤った操作を防止するコンピュータプログラム、表示装置、表示システム及び表示方法を提供する。【解決手段】コンピュータプログラムは、コンピュータに、医療情報を表示画面に表示させるためのコンピュータプログラムであって、コンピュータに、複数の第１の特定操作それぞれに対して異なる第１の所定処理を割り当てる処理と、前記表示画面に表示された医療情報に対して、前記複数の第１の特定操作のうちの一の特定操作を行った場合、前記医療情報の種別に対応して異なる第２の所定処理を選択する選択メニューを表示する処理とを実行させる。【選択図】図１
2018171441.tif 000002
【特許請求の範囲】
【請求項１】
コンピュータに、医療情報を表示画面に表示させるためのコンピュータプログラムであって、
コンピュータに、
複数の第１の特定操作それぞれに対して異なる第１の所定処理を割り当てる処理と、
前記表示画面に表示された医療情報に対して、前記複数の第１の特定操作のうちの一の特定操作を行った場合、前記医療情報の種別に対応して異なる第２の所定処理を選択する選択メニューを表示する処理と
を実行させるコンピュータプログラム。
【請求項２】
コンピュータに、
種別が異なる複数の医療情報毎に、複数の第２の特定操作それぞれに対して異なる第２の所定処理を割り当てる処理と、
前記表示画面に表示された医療情報に対して、前記複数の第２の特定操作のうちの一の特定操作を行った場合、前記医療情報及び一の特定操作に割り当てられた第２の所定処理と
を実行させる請求項１に記載のコンピュータプログラム。
【請求項３】
前記第２の所定処理は、
前記表示画面に表示された医療情報に対して前記複数の第２の特定操作のうちの一の特定操作を行った場合、前記医療情報の種別に対応して異なる第２の所定処理を選択する選択メニューを表示する処理を含む請求項２に記載のコンピュータプログラム。
【請求項４】
コンピュータに、
前記複数の第１の特定操作又は複数の第２の特定操作のうちの一の特定操作を行った場合、前記医療情報が表示された表示領域内又は近傍に前記選択メニューを表示する処理を実行させる請求項１又は請求項３に記載のコンピュータプログラム。
【請求項５】
コンピュータに、
前記複数の第１の特定操作又は複数の第２の特定操作のうちの一の特定操作を行った場合、該一の特定操作が行われた前記表示画面上の位置の周囲の領域に前記選択メニューを表示する処理を実行させる請求項１、請求項３又は請求項４のいずれか一項に記載のコンピュータプログラム。
【請求項６】
コンピュータに、
前記選択メニュー内の操作項目を選択した場合、該操作項目に関連する所定処理を選択する副選択メニューを表示する処理を実行させる請求項１、請求項３から請求項５のいずれか一項に記載のコンピュータプログラム。
【請求項７】
前記選択メニュー又は前記副選択メニューは、
透過性を有する請求項１、請求項３から請求項６のいずれか一項に記載のコンピュータプログラム。
【請求項８】
コンピュータに、
前記表示画面に表示されるポインタの異なる移動軌跡に対応させて前記特定操作それぞれを割り当てる処理を実行させる請求項１から請求項７のいずれか一項に記載のコンピュータプログラム。
【請求項９】
コンピュータに、医療情報を表示画面に表示させるためのコンピュータプログラムであって、
コンピュータに、
医療情報に対する所定処理を行うアイコンを表示する処理と、
前記アイコンに対する操作を受け付けた場合、前記アイコン内の操作を受け付けた位置により前記所定処理の異なる処理量の調整操作を受け付ける処理と
を実行させるコンピュータプログラム。
【請求項１０】
コンピュータに、
前記アイコンに対する操作を受け付けた場合、前記調整操作を受け付ける調整操作アイコンを表示する処理を実行させる請求項９に記載のコンピュータプログラム。
【請求項１１】
コンピュータに、
前記アイコンの近傍に前記調整操作アイコンを表示する処理を実行させる請求項１０に記載のコンピュータプログラム。
【請求項１２】
コンピュータに、
医療情報に対する所定処理を行う複数のアイコンを表示する処理と、
前記複数のアイコンのうち、一のアイコンに対する操作を受け付けた場合、前記一のアイコンの近傍に前記調整操作アイコンを表示し、前記一のアイコンを除く他のアイコンの近傍に前記調整操作アイコンを表示しない処理と
を実行させる請求項１０又は請求項１１に記載のコンピュータプログラム
【請求項１３】
コンピュータに、医療情報を表示画面に表示させるためのコンピュータプログラムであって、
コンピュータに、
医療情報に対する所定処理を行うアイコンを表示する処理と、
前記表示画面に表示された医療情報内の所望の箇所を選択する操作を受け付ける処理と、
前記選択する操作を受け付けた場合、前記医療情報の前記箇所での画素値を取得する処理と、
前記アイコンに対する操作を受け付けた場合、前記画素値に設定される値が変更されるように、前記所定処理を受け付ける処理と
を実行させるコンピュータプログラム。
【請求項１４】
コンピュータに、
前記取得した画素値を表示する処理を実行させる請求項１３にコンピュータプログラム。
【請求項１５】
コンピュータに、
前記画素値の調整操作を受け付けた場合、調整操作に応じた画素値を表示する処理を実行させる請求項１３又は請求項１４に記載のコンピュータプログラム。
【請求項１６】
コンピュータに、
前記画素値の調整操作を受け付けた場合、調整操作に応じて前記アイコンの表示態様を変化させる処理を実行させる請求項１３から請求項１５のいずれか一項に記載のコンピュータプログラム。
【請求項１７】
医療情報を表示画面に表示する表示装置であって、
複数の第１の特定操作それぞれに対して異なる第１の所定処理を割り当てる割当処理部と、
前記表示画面に表示された医療情報に対して、前記複数の第１の特定操作のうちの一の特定操作を行った場合、前記医療情報の種別に対応して異なる第２の所定処理を選択する選択メニューを表示するメニュー表示処理部と
を備える表示装置。
【請求項１８】
医療情報を表示画面に表示する表示装置であって、
医療情報に対する所定処理を行うアイコンを表示する表示処理部と、
前記アイコンに対する操作を受け付けた場合、前記アイコン内の操作を受け付けた位置により前記所定処理の異なる処理量の調整操作を受け付ける調整操作受付部と
を備える表示装置。
【請求項１９】
医療情報を表示画面に表示する表示装置であって、
医療情報に対する所定処理を行うアイコンを表示する表示処理部と、
前記表示画面に表示された医療情報内の所望の箇所を選択する操作を受け付ける選択操作受付部と、
前記選択する操作を受け付けた場合、前記医療情報の前記箇所での画素値を取得する取得部と、
前記アイコンに対する操作を受け付けた場合、前記画素値に設定される値が変更されるように、前記所定処理を受け付ける調整操作受付部と
を備える表示装置。
【請求項２０】
請求項１７から請求項１９のいずれか一項に記載の表示装置と、該表示装置に接続され、医療情報を記憶する記憶部を有するサーバとを備える表示システム。
【請求項２１】
医療情報を表示画面に表示する表示方法であって、
複数の第１の特定操作それぞれに対して異なる第１の所定処理を割当処理部が割り当て、
前記表示画面に表示された医療情報に対して、前記複数の第１の特定操作のうちの一の特定操作を行った場合、前記医療情報の種別に対応して異なる第２の所定処理を選択する選択メニューを表示処理部が表示する表示方法。
【請求項２２】
医療情報を表示画面に表示する表示方法であって、
医療情報に対する所定処理を行うアイコンを表示し、
前記アイコンに対する操作を受け付けた場合、前記アイコン内の操作を受け付けた位置により前記所定処理の異なる処理量の調整操作を受け付ける表示方法。
【請求項２３】
医療情報を表示画面に表示する表示方法であって、
医療情報に対する所定処理を行うアイコンを表示し、
前記表示画面に表示された医療情報内の所望の箇所を選択する操作を受け付け、
前記選択する操作を受け付けた場合、前記医療情報の前記箇所での画素値を取得し、
前記アイコンに対する操作を受け付けた場合、前記画素値に設定される値が変更されるように、前記所定処理を受け付ける表示方法。
【発明の詳細な説明】
【技術分野】
【０００１】
本開示は、コンピュータプログラム、表示装置、表示システム及び表示方法に関する。
【背景技術】
【０００２】
近年、病院又は診療所などの医療機関では、医療情報の電子化及びシステム化が進みつつあり、医療機関の放射線科等の各部門での画像データ又は検査データ、検査結果を示すレポートなどの文書データ、電子カルテなどの膨大な医療情報がデータベース化された医療情報統合管理システムが実用化されている。
【０００３】
このような医療情報統合管理システムは、膨大な医療情報を一元管理するサーバ、各部門で得られた医療データをサーバへ送信する情報処理装置、及び医師、技師又は看護師などの医療従事者が医療情報を閲覧し、あるいは所要の操作を行うための表示装置などを備える。
【０００４】
医用画像などを読影する場合、過去の画像と現在の画像を比較することが行われている。そこで、読影時での操作者の負担を軽減するために、表示された画像の一部の領域毎に所定の処理を対応付けておき、画面上で所望の位置が指定されると、指定された位置に対応する処理を実行するシステムが開示されている（特許文献１参照）。
【先行技術文献】
【特許文献】
【０００５】
【特許文献１】特許第５４１６８９０号公報
【発明の概要】
【発明が解決しようとする課題】
【０００６】
しかし、特許文献１のようなシステムにあっては、領域に割り当てられる処理は単一になり、複数の処理を割り当てる場合には小さい領域に区分する必要がある。このため、画面上で所望の位置を指定する際に意図しない領域を指定するおそれがあり、意図しない処理が行われ、誤った操作が増加する可能性がある。
【０００７】
本開示は、斯かる事情に鑑みてなされたものであり、所望の処理を容易にすることができるコンピュータプログラム、表示装置、表示システム及び表示方法を明らかにする。
【課題を解決するための手段】
【０００８】
本願は上記課題を解決する手段を複数含んでいるが、その一例を挙げるならば、コンピュータプログラムは、コンピュータに、医療情報を表示画面に表示させるためのコンピュータプログラムであって、コンピュータに、複数の第１の特定操作それぞれに対して異なる第１の所定処理を割り当てる処理と、前記表示画面に表示された医療情報に対して、前記複数の第１の特定操作のうちの一の特定操作を行った場合、前記医療情報の種別に対応して異なる第２の所定処理を選択する選択メニューを表示する処理とを実行させる。
【発明の効果】
【０００９】
本開示によれば、所望の処理を容易にすることができる。本開示に関連する更なる特徴は、本明細書の記述、添付図面から明らかになるものである。また、上記した以外の、課題、構成および記述は、以下の実施形態の説明により明らかにされる。
【図面の簡単な説明】
【００１０】
【図１】本実施の形態の表示システムの構成の一例を示すブロック図である。
【図２】本実施の形態の表示処理部の構成の一例を示すブロック図である。
【図３】本実施の形態の表示処理部が表示画面に表示する第１表示例を示す模式図である。
【図４】本実施の形態の表示処理部で処理する特定操作の一例を示す説明図である。
【図５】本実施の形態の表示処理部による特定操作に割り当てられた所定処理の第１例を示す説明図である。
【図６】本実施の形態の表示処理部が表示画面に表示するマルチウインドウ表示上でのジェスチャーの一例を示す模式図である。
【図７】本実施の形態の表示処理部による特定操作に割り当てられた所定処理の第２例を示す説明図である。
【図８】本実施の形態の表示処理部による特定操作に割り当てられた所定処理の第３例を示す説明図である。
【図９】本実施の形態の表示処理部が表示画面に表示する選択メニューの第１例を示す模式図である。
【図１０】本実施の形態の表示処理部による選択メニューの選択時の動作の第１例を示す模式図である。
【図１１】本実施の形態の表示処理部による選択メニューの選択時の動作の第２例を示す模式図である。
【図１２】本実施の形態の表示処理部が表示画面に表示する選択メニューの第２例を示す模式図である。
【図１３】本実施の形態の表示処理部が表示画面に表示する選択メニューの第３例を示す模式図である。
【図１４】本実施の形態の表示処理部が表示画面に表示する選択メニューの第４例を示す模式図である。
【図１５】本実施の形態の表示処理部が表示画面に表示する第２表示例を示す模式図である。
【図１６】本実施の形態のメニュー表示処理部が表示画面に表示するアイコンの第１例を示す模式図である。
【図１７】本実施の形態のメニュー表示処理部が表示画面に表示する調整操作アイコンの第１例を示す模式図である。
【図１８】本実施の形態のメニュー表示処理部が表示画面に表示するアイコンの第２例を示す模式図である。
【図１９】本実施の形態のメニュー表示処理部が表示画面に表示するアイコンに対する操作の一例を示す模式図である。
【図２０】本実施の形態のメニュー表示処理部が表示画面に表示するアイコンの第３例を示す模式図である。
【図２１】本実施の形態のメニュー表示処理部が表示画面に表示するアイコンの他の例を示す模式図である。
【図２２】本実施の形態の表示処理部の構成の他の例を示すブロック図である。
【図２３】本実施の形態の表示装置による表示処理の第１例を示すフローチャートである。
【図２４】本実施の形態の表示装置による表示処理の第２例を示すフローチャートである。
【図２５】本実施の形態の表示装置による表示処理の第２例を示すフローチャートである。
【発明を実施するための形態】
【００１１】
以下、本開示の実施の形態の表示装置、該表示装置を実現するためのコンピュータプログラム、表示システム及び表示方法について説明する。図１は本実施の形態の表示システム１００の構成の一例を示すブロック図である。本実施の形態の表示システム１００は、例えば、医療情報統合管理システムであり、病院又は診療所などの医療機関で行われる診察、診断、検査等に係る医療情報を、患者毎に参照可能となるように統合管理する。
【００１２】
表示システム１００は、医療情報を統合管理するサーバ２０、所定の通信ネットワークを介してサーバ２０と接続される複数の情報処理装置１０及び表示装置５０などを備える。なお、図１では便宜上、表示装置５０を一つだけ図示しているが、複数の表示装置５０が、サーバ２０に接続されてもよい。
【００１３】
情報処理装置１０は、医療機関内の複数の治療部門、診療部門又は検査部門等に設置され、所定の電子データの入力処理、記録処理、編集処理及び出力処理などを行うことができる。情報処理装置１０は、周辺装置を含むコンピュータシステムで構成することができ、例えば、放射線システム、電子カルテシステム、内視鏡システム、生理検査システム、心電図システム、検体ラボシステム、薬剤投薬処方システムなどを構成することができる。情報処理装置１０は、画像データ、文書データ、検査データ等の医療情報をサーバ２０へ送信することができる。
【００１４】
サーバ２０は、サーバ２０全体を制御する制御部２１、記憶部２２、通信部２３などを備える。
【００１５】
通信部２３は、情報処理装置１０及び表示装置５０との間の通信機能を有し、所要の情報の送信及び受信を行うことができる。
【００１６】
記憶部２２は、各情報処理装置１０が送信する医療情報を記憶する。記憶部２２は、患者を特定する特定情報毎に医療情報を各患者に対応付けて記憶することができる。
【００１７】
制御部２１は、ＣＰＵ、メモリ（ＲＯＭ、ＲＡＭなど）、メモリに格納されたプログラムなどで構成することができ、記憶部２２に記憶した医療情報を、患者を特定する特定情報に基づいて抽出し、抽出した医療情報を、医療情報を特定することができる二つの特定要素によってマトリクス状に配置した一覧表示形式の表示データを生成する。
【００１８】
表示装置５０は、液晶パネルなどの表示画面５１、表示処理部５２、操作入力部５３、通信部５４、記憶部５５などを備える。表示装置５０は、医療機関の医師、技師又は看護師などの医療従事者が、医療情報に係る操作及び閲覧を行うためのものであり、診療、診断の際に使用される。表示装置５０は、周辺装置を含むコンピュータ装置で構成することができるが、画面に対してタッチ操作が可能なタブレット装置でもよい。
【００１９】
なお、表示装置５０は、サーバ２０の機能を内蔵してもよい。例えば、表示装置５０は、サーバ２０を経由せずに情報処理装置１０と直接ネットワークを介して、必要な情報を蓄積して表示することもできる。
【００２０】
また、表示装置５０は、情報処理装置１０の機能を内蔵してもよい。例えば、電子カルテシステムが機能拡張されることにより、表示装置５０に情報処理装置１０の機能を組み込むこともできる。
【００２１】
また、表示装置５０が備える表示画面５１は、一つに限定されず、複数の表示画面（複数の表示デバイス）を備えることもできる。
【００２２】
操作入力部５３は、キーボード、マウス、トラックパッド（タッチパッド）、スタイラスペンなどを含み、医療従事者が、表示画面５１上のアイコン（図形、文字、数字、記号など）又は表示画面５１の所要の箇所を操作（例えば、マウスの場合、左クリック、右クリック、ダブルクリックなど）すると、入力された操作を、当該操作に対応する指令に変換して表示処理部５２へ出力する。
【００２３】
通信部５４は、サーバ２０が送信した一覧表示形式の表示データを受信する。通信部５４で受信された表示データは、記憶部５５に記憶される。
【００２４】
図２は本実施の形態の表示処理部５２の構成の一例を示すブロック図である。表示処理部５２は、割当処理部５２１、所定処理部５２２、メニュー表示処理部５２３などを備える。表示処理部５２は、ＣＰＵ、メモリ（ＲＯＭ、ＲＡＭなど）、メモリに格納されたプログラムなどで構成することができる。
【００２５】
表示処理部５２は、通信部５４を介してサーバ２０で統合管理されている医療情報を受信することにより、診察、診断、検査等に必要な医療情報を、医療従事者毎の用途に合わせて、患者毎に過去の医療情報から最新の医療情報までを時系列的に表示する処理を行う。
【００２６】
医療情報は、便宜上、例えば、画像、文書、検査、投薬などの種別毎に分けることができる。画像には、例えば、ＣＴ（Computed Tomography）、ＣＲ（Computed Radiology）、ＵＳ（Ultrasonography）、ＭＲＩ（Magnetic Resonance Imaging）などのデータが含まれる。また、画像には動画像も含まれる。文書には、例えば、紹介状、診断書、レポート、問診票、同意書、計画書などが含まれる。検査には、生理データとして、例えば、心電図、脳波、超音波、眼底、動脈硬化、血圧、体温、内視鏡などの検査データが含まれ、検体データとして、例えば、ＣＥＡ（腫瘍マーカー）、血液、病理、尿、ＡＬＴ（アラニンアミノトランスフェラーゼ）などの検査データが含まれる。投薬には、投薬情報が含まれる。
【００２７】
なお、１つの検査で取得される１枚もしくは複数枚の画像は、一つの画像情報として管理される。一つの画像情報に複数の画像が含まれる場合には、当該複数の画像は、シリーズ画像と称される。シリーズ画像は、例えば、撮影部位が異なる複数の画像で構成される。
【００２８】
次に、表示処理部５２の詳細について説明する。
【００２９】
割当処理部５２１は、表示画面５１に表示されるポインタの異なる移動軌跡に対応させて複数の特定操作を割り当てる。ポインタは、例えば、マウスのカーソルを含む。また、割当処理部５２１は、複数の特定操作それぞれに対して異なる第１の所定処理を割り当てる。また、割当処理部５２１は、種別が異なる複数の医療情報毎に、複数の第２の特定操作それぞれに対して異なる第２の所定処理を割り当てる。第１の所定処理は、所定処理のうち医療情報の種別に関係しない処理であり、第２の所定処理は、所定処理のうち医療情報の種別に対応する処理という意味である。特定操作は、例えば、マウスジェスチャー（カーソルの特定の移動操作）、あるいはマウスボタンのクリック操作などを含む。本明細書では、便宜上、複数の特定操作を第１の特定操作と第２の特定操作に区別する。第１の特定操作は、医療情報の種別に依存せずに特定の操作に応じて医療情報の種別に対応して異なる第２の所定処理を選択する選択メニューを表示する操作である。すなわち、医療情報の種別が異なれば、操作が同じであっても異なる選択メニューが表示される。これにより、医療情報毎に操作を覚えておく必要がなくなり、利便性が向上する。一方、第２の特定操作は、医療情報の種別と対応し、同じ操作であっても医療情報の種別が異なる場合、異なる第２の所定処理（選択メニューの表示も含む）を割り当てることができる操作である。なお、第１の特定操作と第２の特定操作の操作内容は、同じでもよく、異なる操作であってもよい。特定操作の詳細は後述する。
【００３０】
所定処理部５２２は、表示画面５１に表示された医療情報に対して、複数の特定操作のうちの一の特定操作を行った場合、当該一の特定操作に割り当てられた所定処理（第１の所定処理又は第２の所定処理）を行う。
【００３１】
複数の特定操作それぞれに異なる所定処理が割り当てられているので、所望の処理を対応する特定操作を行うだけで、所望の処理を容易にすることができる。
【００３２】
以下、具体的に説明する。
【００３３】
図３は本実施の形態の表示処理部５２が表示画面５１に表示する第１表示例を示す模式図である。図３に示す表示例は、マルチウインドウ表示とも称し、ある患者（例えば、患者ＩＤ：ｘｘｘｘｘｘ）の所要の時点又は期間での複数の医療情報を同時に表示する。図３の例では、ＣＲ画像、ＣＴ画像、ＭＲＩ画像、ＵＳ画像、文書及び検査データそれぞれが、表示画面５１上の所定の表示領域６１に表示されている。なお、表示される医療情報の種別、医療情報の数は一例であって、図３の例に限定されない。
【００３４】
図４は本実施の形態の表示処理部５２で処理する特定操作の一例を示す説明図である。図４に例示した特定操作は、ジェスチャー操作の例を示す。ジェスチャー操作の開始は、特定のキーが押下されたこと、マウスのクリック操作、あるいは、マウスのカーソル（ポインタ）が表示画面５１の所定の領域に位置していること等によって行うことができる。
【００３５】
図４に示すように、操作Ｃ１は、カーソルを水平方向（左から右、又は右から左）に移動するジェスチャーである。操作Ｃ２は、カーソルを垂直方向（上から下、又は下から上）に移動するジェスチャーである。操作Ｃ３は、カーソルを斜め上方（左下から右上、又は右下から左上）に移動するジェスチャーである。操作Ｃ４は、カーソルを斜め下方（左上から右下、又は右上から左下）に移動するジェスチャーである。操作Ｃ５は、カーソルで円状に移動する（円を描く）ジェスチャーである。操作Ｃ６は、カーソルをＶ字状に移動するジェスチャーである。操作Ｃ７は、カーソルを右下方向にＬ字状に移動するジェスチャーである。操作Ｃ８は、カーソルを左下方向にＬ字状に移動するジェスチャーである。操作Ｃ９は、カーソルを左方向にＬ字状に移動するジェスチャーである。操作Ｃ１０は、カーソルを右方向にＬ字状に移動するジェスチャーである。これにより、操作者の操作時間の短縮化、利便性の向上などを図ることができる。なお、それぞれのジェスチャー操作に対して、表示処理部５２（所定処理部５２２）が行う所定処理を割り当てることができる。また、設定したジェスチャー操作は、操作者の好みによって変更することができる。また、図４に例示したジェスチャー操作は、第１の特定操作又は第２の特定操作の一方、あるいは両方に割り当てることができる。
【００３６】
メニュー表示処理部５２３は、表示画面５１に表示された医療情報に対して、当該複数の特定操作（第１の特定操作）のうちの一の特定操作を行った場合、当該医療情報の種別に対応して異なる第２の所定処理を選択する選択メニューを表示する。選択メニューについては後述する。
【００３７】
これにより、複数の特定操作（第１の特定操作）のうちの一の特定操作を行うだけで、医療情報の種別に対応して異なる第２の所定処理を選択する選択メニューが表示されるので、所望の処理の選択が容易になる。
【００３８】
なお、ジェスチャー操作は、図４に例示した操作に限定されるものではない。図４に例示していないが、マウスのクリック操作もジェスチャー操作の一例として含めることができる。マウスのクリック操作は、例えば、マウスオーバ（マウスのカーソルを所要に箇所に移動させて保持する操作）、左１クリック、左２クリック（ダブルクリック）、左３クリック（トリプルクリック）、右１クリック、右２クリック、右３クリック、ドラッグなどの操作を含めることができる。また、第１の特定操作及び第２の特定操作には、特定キー（例えば、シフトキー、ＣＴＬキー、ＡＬＴキー、Windowsキーなど）を含むキーの押
下とジェスチャー操作の同時操作の組み合わせ、又は当該キーの押下とマウスのボタン操作の同時操作の組み合わせも含めることができる。
【００３９】
図５は本実施の形態の表示処理部５２による特定操作に割り当てられた所定処理の第１例を示す説明図である。図５の例では、医療情報として、シリーズ画像、文書、動画像を挙げている。また、第２の特定操作として、図４に例示した操作のうち、操作Ｃ１、Ｃ２、Ｃ３を挙げている。図５に示すように、シリーズ画像に対して操作Ｃ１を行った場合（すなわち、表示画面５１に表示されたシリーズ画像上でカーソルを水平方向に移動させた場合）、シリーズ画像のアニメーション再生が開始される。また、文書に対して、同じ操作Ｃ１を行った場合、シリーズ画像の場合とは異なる、キーワード検索処理が行われる。また、動画像に対して、同じ操作Ｃ１を行った場合、動画の再生が行われる。操作Ｃ２、操作Ｃ３についても、図５に示したとおりである。
【００４０】
上述のように、所定処理部５２２は、表示画面５１に表示された医療情報に対して、当該複数の特定操作（第２の特定操作）のうちの一の特定操作を行った場合、当該医療情報及び一の特定操作に割り当てられた第２の所定処理を行う。なお、第２の所定処理には、医療情報の種別に対応して異なる第２の所定処理を選択する選択メニューを表示する処理も含まれる。
【００４１】
図５の例では、シリーズ画像及び操作Ｃ１に割り当てられた所定処理は、アニメーション再生の開始であり、文書及び操作Ｃ１に割り当てられた所定処理は、キーワード検索であり、動画像及び操作Ｃ１に割り当てられた所定処理は、動画像の再生である。なお、文書の場合には、キーワード表示処理、文書の全体表示と注目箇所（重要箇所）の拡大表示との切替処理などを含めることができる。また、動画像の場合には、開始、フレーム、時刻などの表示切替処理を含めることができる。
【００４２】
このように、同じ特定操作を行った場合、医療情報の種別毎に異なる所定処理を割り当てることができるので、医療情報毎に異なる処理を実行する場合に、医療情報毎に異なる操作を割り当てる必要がなく、一の特定操作で医療情報毎に所望の処理を実行することができる。これにより、異なる特定操作の数が増加することを防止することができる。
【００４３】
図６は本実施の形態の表示処理部５２が表示画面５１に表示するマルチウインドウ表示上でのジェスチャーの一例を示す模式図である。図６の例は、図３で例示したマルチウインドウ表示のＣＴ画像に対して操作Ｃ７のジェスチャーを行う様子を示す。このように、マルチウインドウ表示された異なる医療情報のうち、所望の医療情報に対して特定のジェスチャー操作（特定操作）を行うことができる。
【００４４】
図７は本実施の形態の表示処理部５２による特定操作に割り当てられた所定処理の第２例を示す説明図である。図７はＣＴ画像に対する特定操作と割り当てられた所定処理との対応を示す。図７に示すように、操作Ｃ７に対しては、所定処理として階調操作を選択するための選択メニューの表示処理が割り当てられており、輝度、明度、ＷＬ（ウインドウ値）、ＷＷ（ウインドウ幅）、階調反転、階調初期状態などの操作（処理）を行うことができる。
【００４５】
また、操作Ｃ８に対しては、所定処理としてファイル操作を選択するための選択メニューの表示処理が割り当てられており、ファイルを開く、閉じる、次ファイルの表示、前ファイルの表示などの操作（処理）を行うことができる。
【００４６】
また、操作Ｃ９に対しては、所定処理として拡大／縮小・回転・反転操作を選択する選択メニューの表示処理が割り当てられており、拡大・縮小、倍率変更、回転、左右反転などの操作（処理）を行うことができる。
【００４７】
また、操作Ｃ１０に対しては、所定処理として表示レイアウト変更操作を選択する選択メニューの表示処理が割り当てられており、表示ウインドウ数変更、１画像のみ拡大表示、一覧表示などの操作（処理）を行うことができる。
【００４８】
上述のように、特定操作に割り当てられた所定処理には、表示画面５１に表示された医療情報に対して一の特定操作を行った場合、当該医療情報に対する所定処理を選択する選択メニューを表示する処理も含まれる。なお、図７に例示したジェスチャー、選択メニュー、操作内容（処理）は、一例であって、図７の例に限定されるものではない。
【００４９】
図８は本実施の形態の表示処理部５２による特定操作に割り当てられた所定処理の第３例を示す説明図である。図８は検査データに対する特定操作と割り当てられた所定処理との対応を示す。図８に示すように、操作Ｃ７に対しては、所定処理として印刷操作を選択するための選択メニューの表示処理が割り当てられており、印刷設定などの操作（処理）を行うことができる。
【００５０】
また、操作Ｃ８に対しては、所定処理としてグラフ表示操作を選択するための選択メニューの表示処理が割り当てられており、検査データをグラフ化する際の表示設定などの操作（処理）を行うことができる。
【００５１】
また、操作Ｃ９に対しては、所定処理として検索操作を選択する選択メニューの表示処理が割り当てられており、検査データ内の文字等の検索条件設定などの操作（処理）を行うことができる。
【００５２】
また、操作Ｃ１０に対しては、所定処理として拡大・縮小操作を選択する選択メニューの表示処理が割り当てられており、倍率設定などの操作（処理）を行うことができる。
【００５３】
上述のように、表示画面５１に表示された複数の医療情報の中から、所要の医療情報を選んで特定操作（例えば、特定のジェスチャー操作）を行うだけで、当該医療情報に特化した複数の処理（操作内容）を選択するための選択メニューが表示されるので、所望の処理の選択が容易になる。
【００５４】
また、図７及び図８に例示した操作Ｃ７〜Ｃ１０は、医療情報の種別（図７ではＣＴ画像、図８では検査データ）が異なると、それぞれ異なる所定処理が割り当てられているので、この場合、操作Ｃ７〜Ｃ１０は第２の特定操作ということができる。
【００５５】
図９は本実施の形態の表示処理部５２が表示画面５１に表示する選択メニュー６２の第１例を示す模式図である。図９に示す選択メニュー６２は、図７に例示したＣＴ画像に対する階調操作メニューの一例を示す。選択メニュー６２は、円形を径方向に４等分したうちの一つが欠けたような形状をなし、ＣＴ画像の表示領域の右下の角部に表示領域に隣接するように配置されている。選択メニュー６２は、操作内容（処理）毎に分類して三つの領域に分けられている。各領域には、操作内容を想起させるアイコンが表示されている。なお、選択メニュー６２の形状、操作内容の分類数、操作内容を表すアイコンなどは一例であって、図９の例に限定されない。
【００５６】
上述のように、メニュー表示処理部５２３は、表示画面５１に表示された医療情報に対して第２の特定操作を行った場合、当該医療情報の種別に対応して異なる第２の所定処理を選択する選択メニュー６２を表示することができる。
【００５７】
すなわち、医療情報の種別を問わない共通の操作（第１の特定操作）又は医療情報の種別に対応する第２の特定操作を行うことによって、メニュー表示処理部５２３は、当該医療情報と関連した操作群を操作メニューとして表示することができる。当該操作メニューとして表示される操作（処理）は、図７に例示したような操作（所定処理Ａと称する）でもよく、あるいは、当該医療情報に対して最もよく使用される操作（所定処理Ｂと称する）でもよい。これにより、医療情報毎にジェスチャー操作などの操作を覚えていなくても、当該医療情報に関連した操作を、作業負荷を軽減した状態で実施することができる。
【００５８】
メニュー表示処理部５２３は、透過性を有する選択メニュー６２を表示する。これにより、選択メニュー６２が、ＭＲＩ画像などの医療情報の一部に重ねて表示しても、医療情報の当該一部を視認することができる。
【００５９】
また、メニュー表示処理部５２３は、特定操作が行われた医療情報（図９の例では、ＣＴ画像）が表示された表示領域内又は近傍に選択メニュー６２を表示する。選択メニュー６２を表示領域内に表示することで、処理を行う対象の医療情報がどれであるかを誤認させることなく、マウスのカーソル（ポインタ）の移動距離を減らし、作業負荷を軽減し、作業効率を向上させることができる。また、選択メニュー６２を表示領域近傍に表示することで、上述の効果に加えて、対象の医療情報の処理結果を明確に把握できるようになる。
【００６０】
また、特定操作の態様によって、操作メニュー６２の表示位置（図９、後述の図１２、図１３など）を指定できるようにしてもよい。例えば、特定操作が開始された位置により操作メニュー６２の表示位置を指定してもよい。このようにすることで、特定操作から操作メニュー内の操作への遷移をスムーズに行うことができる。また、特定操作の態様によって、操作メニュー数を指定できるようにしてもよい。例えば、特定操作がなされた時間又はカーソルの移動軌跡の長さと操作メニュー数を３個、５個、７個の如く対応させてもよい。このようにすることで、メニュー数を指定する操作を別に覚えることなく、特定の操作のメニュー数を直観的に指定することができる。
【００６１】
図１０は本実施の形態の表示処理部５２による選択メニュー６２の選択時の動作の第１例を示す模式図である。図１０の例では、選択メニュー６２（「階調変更」、「階調の反転」、「階調の操作結果を初期状態に戻す」の三つのアイコンが表示されている）の中で左下の階調変更シンボル（アイコン）にマウスのカーソルＭを移動することによって、階調を変更するためのスライダバーが表示されたことを示す。スライダバーは、縦方向にＷＬ（ウインドウ値）、横方向にＷＷ（ウインドウ幅）を変更するバーを有する。医療従事者は、スライダバー上で、例えば、マウスを左クリックしたまま上下左右に動かすことによって、階調の変更を行うことができる。また、スライダバー以外の場所、例えば、ＣＴ画像の表示領域内でマウスを左クリックしたまま上下左右に動かすことによって階調の変更を行うことができる。
【００６２】
図１１は本実施の形態の表示処理部５２による選択メニュー６２の選択時の動作の第２例を示す模式図である。図１１の例では、ＣＴ画像は、シリーズ画像であるとする。選択メニュー６２（「イメージ操作」、「アニメーションの再生」、「アニメーションの再生の停止」の三つのアイコンが表示されている）の中で左下のシリーズ画像のイメージ操作シンボル（アイコン）にマウスのカーソルＭを移動することによって、シリーズ画像の中から表示する画像（イメージ）を選択するスライダバーが表示されたことを示す。スライダバーは、縦方向にＩｍ（イメージの位置）を選択するバーを有する。医療従事者は、スライダバー上で、例えば、マウスを左クリックしたまま上下に動かすことによって、表示する画像（イメージ）の変更を行うことができる。また、スライダバー以外の場所、例えば、ＣＴ画像の表示領域内でマウスを左クリックしたまま上下に動かすことによって表示する画像（イメージ）の変更を行うことができる。
【００６３】
上述のように、所要の医療情報の近傍に特定のジェスチャー操作に割り当てられた所定処理を選択する選択メニューが表示され、表示された選択メニューの中の処理（操作）を選択することによって、所望の処理を容易に行うことができる。
【００６４】
図１２は本実施の形態の表示処理部５２が表示画面５１に表示する選択メニュー６２の第２例を示す模式図である。図１２に示す選択メニュー６２は、図７に例示したＣＴ画像に対する階調操作メニューの一例を示す。選択メニュー６２は、細長い矩形状の対向する２辺が同じ方向に向かって湾曲した扇状のような形状をなし、ＣＴ画像の表示領域内の右下の角部に配置されている。なお、選択メニュー６２内の各アイコンは、図９の例と同様であるが、異なっていてもよい。
【００６５】
選択メニュー６２は、透過性を有する。これにより、選択メニュー６２が、ＣＴ画像などの医療情報の一部に重ねて表示しても、医療情報の当該一部を視認することができる。
【００６６】
図１３は本実施の形態の表示処理部５２が表示画面５１に表示する選択メニュー６２の第３例を示す模式図である。図１３の例では、表示画面５１に表示されたＣＴ画像上（ＣＴ画像の表示領域上でもよい）で、所定の特定操作（例えば、ジェスチャー操作、マウスのクリック操作など）を行うことによって、マウスのカーソルＭの、例えば、先端位置Ｓの周囲に選択メニュー６２が表示される。
【００６７】
また、図１３の例では、カーソルＭの位置（例えば、先端位置Ｓ）と、選択メニュー６２内の各アイコンが表示された領域それぞれとの距離がほぼ同程度であって、当該距離が比較的短くなるようにしている。
【００６８】
すなわち、メニュー表示処理部５２３は、表示画面５１に表示された医療情報に対して一の特定操作を行った場合、当該一の特定操作が行われた表示画面５１上の位置の周囲の領域に選択メニューを表示する。これにより、所望の処理を選択する際に、マウスのカーソル（ポインタ）の移動距離を減らし、作業負荷を軽減し、作業効率を向上させることができる。
【００６９】
また、メニュー表示処理部５２３は、マウスのカーソルＭの位置を中心とする同心円の一部で構成される扇状の選択メニュー６２を表示することができる。これにより、所望の処理を選択する際に、マウスのカーソル（ポインタ）の移動距離を減らし、作業負荷を軽減し、作業効率を向上させることができる。
【００７０】
図１４は本実施の形態の表示処理部５２が表示画面５１に表示する選択メニュー６２の第４例を示す模式図である。図１４の例では、選択メニュー６２内の操作をさらに細分化したサブメニュー（副選択メニュー）６３を表示する場合を示す。すなわち、選択メニュー６２の中で選択された処理のサブメニュー６３が表示され、サブメニュー６３の中から所望の処理を選択することができる。
【００７１】
図１４に示すように、選択メニュー６２の中の「回転」メニュー６２ａにマウスのカーソルＭを移動して、「回転」メニュー６２ａが選択されると、サブメニュー６３が表示され、例えば、「右回転」、「左回転」、「上下反転」、「左右反転」の各処理を選択することができる。サブメニュー６３を表示することにより、選択メニュー６２で表示した処理に対する詳細な処理を容易に選択することができる。なお、サブメニュー６３の例は、図１４の例に限定されない。
【００７２】
上述のように、メニュー表示処理部５２３は、選択メニュー６２内の操作項目を選択した場合、選択した操作項目に関連する所定処理を選択するサブメニュー６３を表示する。これにより、複数の所定処理が、階層化されて多岐に亘る場合でも、所望の処理を容易に選択することができる。
【００７３】
また、メニュー表示処理部５２３は、選択メニュー６２内で選択操作を行った場合、当該選択操作が行われた表示画面５１上の位置の周囲の領域にサブメニュー６３を表示する。これにより、所望の処理を選択する際に、マウスのカーソル（ポインタ）の移動距離を減らし、作業負荷を軽減し、作業効率を向上させることができる。
【００７４】
また、メニュー表示処理部５２３は、マウスのカーソルＭの位置を中心とする同心円の一部で構成される扇状のサブメニュー６３を表示することができる。これにより、所望の処理を選択する際に、マウスのカーソル（ポインタ）の移動距離を減らし、作業負荷を軽減し、作業効率を向上させることができる。
【００７５】
また、サブメニュー６３は透過性を有するので、サブメニュー６３が、ＣＴ画像などの医療情報の一部に重ねて表示しても、医療情報の当該一部を視認することができる。
【００７６】
次に、医療情報の一つの種別である画像の例として、ＶＲ（ボリュームレンダリング）画像について説明する。
【００７７】
図１５は本実施の形態の表示処理部５２が表示画面５１に表示する第２表示例を示す模式図である。図３に示す第１表示例との違いは、ある患者（例えば、患者ＩＤ：ｘｘｘｘｘｘ）の所要の時点又は期間でのＶＲ画像が表示画面５１上の所定の表示領域６１に表示されている点である。図４に例示した特定操作を表示画面５１（例えば、ＶＲ画像上でもよく、ＶＲ画像と離れた箇所でもよい）で行うことにより、メニュー表示処理部５２３は後述の図１６に示すような所定処理を行うアイコンを表示することができる。なお、アイコンとは、前述の選択メニューが画面上に特定の画素領域として形成された１塊の画像を指し、形成される領域全体又は形成される領域の位置に応じて所定の操作が割り当てられたものを指す。
【００７８】
すなわち、メニュー表示処理部５２３は、第１の特定操作又は第２の特定操作のいずれかが行われた場合、画像に対する所定処理を行うアイコンを表示することができる。ここで、所定処理は、第１の所定処理でもよく、あるいは第２の所定処理でもよい。
【００７９】
図１６は本実施の形態のメニュー表示処理部５２３が表示画面５１に表示するアイコンの第１例を示す模式図である。所定処理は、例えば、ＶＲ画像に対する変換に関する処理とすることができ、回転処理（３Ｄ上の自由回転又は平面上の回転）、拡大・縮小処理、平行移動処理、ＲＯＩ（Region of Interest）によるクリッピング処理などを含めることができる。また、所定処理は、ＶＲ画像に関連する処理とすることができ、例えば、カラーマップの調整に関連する処理（例えば、ＲＧＢ値の調整、不透明度の調整、制御点を設定するための信号値の調整などの処理）、あるいは鏡面反射率又は環境光の調整処理などを含めることができる。カラーマップは、信号値とＲＧＢ値及び不透明度（オパシティ）との関係をユーザが定義した変換テーブルで、ボリュームレンダリングに適用することにより、特定の臓器を任意の色で着色すること、手前の臓器を透明にして隠れている臓器を描出させることができる。
【００８０】
図１６の例において、アイコン７１は、３Ｄ上の回転処理（ローテーションとも称する）が割り当てられており、アイコン７２は、平面上の回転処理（スピンとも称する）が割り当てられており、アイコン７３は、拡大・縮小処理（ドリーとも称する）が割り当てられており、アイコン７４は、平行移動処理（パンとも称する）が割り当てられている。また、図１６の例では、アイコン７４に対する操作を受け付ける状態を例示している。所定処理を行うアイコンに対する操作は、例えば、クリック、フリック、マウスオーバなどの操作とすることができるが、これらの操作に限定されない。なお、所定処理を行うアイコンは図１６の例に限定されない。
【００８１】
所定処理部５２２は、所定処理を行うアイコンに対する操作を受け付けた場合、当該アイコンの位置で当該所定処理の処理量の調整操作を受け付ける。より具体的には、所定処理部５２２は、所定処理を行うアイコンに対する操作を受け付けた場合、当該アイコン内の操作を受け付けた位置により当該所定処理の異なる処理量の調整操作を受け付ける。所定処理が、例えば、ＶＲ画像の変換に関する処理である場合、処理量は、例えば、回転角度、拡大・縮小倍率、平行移動量（オフセット）、ＲＯＩの座標などとすることができる。「アイコンの位置で」とは、例えば、アイコン上、アイコンとアイコン以外の領域との境界及びアイコンの近傍などを含む。
【００８２】
本実施の形態では、上述の構成により、表示されたアイコンの位置に応じて所定処理が割り当てられるとともに、アイコン位置での操作によって所定処理の処理量を調整することができるので、所要の医療情報の近傍で所望の操作を実現でき、操作が簡単になるとともに、操作表示領域を削減することができる。医療情報の近傍とは、医療情報の一部と重なる位置でもよく、医療情報と接する位置でもよく、医療情報から短い距離だけ離れた位置でもよい。
【００８３】
また、本実施の形態では、図１６に示すように、アイコン７１〜７４の位置に応じて、処理内容を変えることができる。別言すれば、本実施の形態では、アイコン７１〜７４の位置情報に応じて異なる処理を割り当てることができ、アイコンの位置に応じた処理の処理量を直ちに調整することができる。
【００８４】
また、メニュー表示処理部５２３は、アイコンに対する操作を受け付けた場合、調整操作を受け付ける調整操作アイコンを表示することができる。前述の選択メニュー６２の中で選択された処理のサブメニュー６３が表示される操作と同様である。
【００８５】
図１７は本実施の形態のメニュー表示処理部５２３が表示画面５１に表示する調整操作アイコンの第１例を示す模式図である。図１７の例では、アイコン７１の周囲にはアイコン７１ａ、７１ｂ、７１ｃが表示され、アイコン７１ａ、７１ｂ、７１ｃは、それぞれ３Ｄ上のｘｙｚ軸回りの回転角度を調整することができる。アイコン７２の周囲にはアイコン７２ａ、７２ｂが表示され、アイコン７２ａ、７２ｂは、それぞれ平面上の二つの軸回りの回転角度を調整することができる。アイコン７３の周囲にはアイコン７３ａ、７３ｂが表示され、アイコン７３ａ、７３ｂは、拡大処理及び縮小処理の倍率を調整することができる。また、アイコン７４の周囲にはアイコン７４ａ、７４ｂ、７４ｃ、７４ｄが表示され、アイコン７４ａ、７４ｂ、７４ｃ、７４ｄは、上下左右方向の移動距離を調整することができる。
【００８６】
なお、図１７の例では、便宜上、アイコン７１、７２、７３及び７４それぞれの周囲に調整操作アイコンを表示しているが、図１７のように、すべてのアイコン７１、７２、７３及び７４に対する調整操作アイコンを表示する必要はない。例えば、図１６に示すように、アイコン７４に対する操作を受け付けた場合、アイコン７４の周囲に調整操作アイコンを表示し、アイコン７１〜７３の周囲には調整操作アイコンを表示しなくてもよい。
【００８７】
すなわち、メニュー表示処理部５２３は、画像に対する所定処理を行う複数のアイコンを表示し、複数のアイコンのうち、一のアイコンに対する操作を受け付けた場合、当該一のアイコンの近傍に調整操作アイコンを表示し、当該一のアイコンを除く他のアイコンの近傍に調整操作アイコンを表示しない。例えば、ユーザが、複数のアイコンのうち、いずれかのアイコンを選択する場合、選択したアイコンの近傍には調整操作アイコンが表示されるが、選択されていない他のアイコンの近傍には調整操作アイコンが表示されない。これにより、調整操作アイコンを選択的に表示することができ、複数のアイコンそれぞれの調整操作アイコンを表示する必要がないので、操作表示領域を削減することができる。なお、アイコンの近傍とは、アイコンの一部と重なる位置でもよく、アイコンと接する位置でもよく、アイコンから短い距離だけ離れた位置でもよい。
【００８８】
上述のように、アイコン７１〜７４に対する操作を行うだけで調整操作アイコンが表示されるので、アイコン７１〜７４の位置で調整操作を直ちに行うことができ、操作が簡単になり操作性が向上する。
【００８９】
また、アイコン７１〜７４の透明度を比較的大きくして、アイコン７１〜７４の背景にあるＶＲ画像が透過して見える状態にアイコン７１〜７４を表示し、アイコン７１〜７４のいずれかに対する操作が行われた場合に、操作が行われたアイコンの透明度を小さくして、当該アイコンを目立つように表示することもできる。これにより、アイコン７１〜７４に対する操作が行われていない場合には、背景のＶＲ画像の視認性を向上させ、アイコンに対する操作が行われた場合には、当該アイコンの視認性を向上させることができる。
【００９０】
また、メニュー表示処理部５２３は、アイコンの近傍に調整操作アイコンを表示することができる。図１７の例では、調整操作アイコンをアイコン７１〜７４の周囲（近傍）に表示している。これにより、例えば、マウスのカーソルの位置の移動が不要となり、あるいは移動距離を短くすることができ、操作性が向上する。なお、調整操作アイコンが所定処理を行うアイコン７１〜７４の一部と重なるように調整操作アイコンを表示してもよい。これにより、アイコンを表示するための表示領域の面積をさらに小さくすることができ、ＶＲ画像がアイコンで遮られる領域を小さくすることができる。
【００９１】
図１８は本実施の形態のメニュー表示処理部５２３が表示画面５１に表示するアイコンの第２例を示す模式図である。図１８の例では、ＶＲ画像に対する所定処理は、カラーマップの調整に関連する処理であり、アイコン８１は、Ｒ値の調整処理を行うアイコンであり、アイコン８２は、Ｇ値の調整処理を行うアイコンであり、アイコン８３は、Ｂ値の調整処理を行うアイコンであり、アイコン８４は、不透明度の調整処理を行うアイコンであり、アイコン８５は、制御点を設定するための信号値の調整処理を行うアイコンである。アイコン８１〜８５の下側に表示されている数値は、ＲＧＢ値、不透明度、及び信号値を表している。
【００９２】
図４に例示した特定操作を表示画面５１（例えば、ＶＲ画像上でもよく、ＶＲ画像と離れた箇所でもよい）で行うことにより、メニュー表示処理部５２３は図１８に示すような所定処理を行うアイコン８１〜８５を表示することができる。
【００９３】
また、メニュー表示処理部５２３は、表示画面５１に表示されたＶＲ画像内の所望の箇所（図１８中、符号８０で示す）を選択する操作を受け付けた場合、図１８に示すような所定処理を行うアイコン８１〜８５を表示することができる。
【００９４】
また、メニュー表示処理部５２３は、表示画面５１に表示されたＶＲ画像内の所望の箇所（図１８中、符号８０で示す）を選択する操作を受け付けた場合、画像の箇所での画素に対応する信号値に割り当てられた画素値を取得し、取得した画素値を表示することができる。画像の箇所での画素は、１つの画像が選択された場合に当該１つの画素だけに限らず当該１つの画素の周辺所定領域内で同じ画素値をもつ複数の画素をまとめて選択されるようにしてもよい。画素値は、例えば、対象の画素が表す元々の信号値に対して割り当てられたＲＧＢ値や不透明度、元々の信号値などとすることができる。図１８の例では、ＲＧＢ値、不透明度、信号値は、それぞれ１２８、６５、３２、０．８、１５２０としているが、これに限定されるものではない。通常カラーマップの設定では、１又は複数の制御点となる信号値に所望のＲＧＢ値や不透明度を設定することにより、全ての信号値とＲＧＢ値及び不透明度の対応が定義される。制御点以外の信号値は所定の手順により補完されたＲＧＢ値や不透明度が設定される。
【００９５】
また、アイコン８１〜８５の透明度を比較的大きくして、アイコン８１〜８５の背景にあるＶＲ画像が透過して見える状態にアイコン８１〜８５を表示し、アイコン８１〜８５のいずれかに対する操作が行われた場合に、操作が行われたアイコンの透明度を小さくして、当該アイコンを目立つように表示することもできる。これにより、アイコン８１〜８５に対する操作が行われていない場合には、背景のＶＲ画像の視認性を向上させ、アイコンに対する操作が行われた場合には、当該アイコンの視認性を向上させることができる。
【００９６】
図１９は本実施の形態のメニュー表示処理部５２３が表示画面５１に表示するアイコンに対する操作の一例を示す模式図である。図１９は、図１８に示すアイコン８１に対する操作の結果を示す。図１９に示すように、所定処理を行うアイコン８１に対して上方向の操作を行うことにより、選択した所望の箇所での画素に対応するＲ値を増加させるようにでき、下方向に操作を行うことにより、Ｒ値を減少させることができる。アイコンに対する操作がカラーマップの操作である場合には、同様の操作をすることにより、選択した所望の箇所での画素の画素値だけを変更するだけでなく、所望の画素に対応する信号値に割り当てる画素値（例えば、Ｒ値等）を変更するようにカラーマップの定義を変更するようにして、ＶＲ画像全体を最描画するようにしてもよい。図１９の例では、Ｒ値が１２８から１３８に増加するように調整されている。他のアイコン８２〜８５についても同様に、上方向の操作により数値を増加させることができ、下方向の操作で数値を減少させることができる。
【００９７】
なお、操作は上下方向に限定されるものではなく、アイコン８１〜８５を強く押した場合には数値を増加させ、弱く押した場合には数値を減少させるようにしてもよい。また、数値が増減する際の表示速度（例えば、一の数値を表示する時間）を適宜設定するようにしてもよい。
【００９８】
メニュー表示処理部５２３が、所定処理を行うアイコン８１〜８５を表示し、アイコン８１〜８５に対する操作を受け付けた場合、所定処理部５２２は、ＶＲ画像の所望の箇所に対応する画素値に設定されている値が変更されるように、画素値の調整操作を受け付けることができる。より具体的には、所定処理部５２２は、ＶＲ画像の所望の箇所に対応する画素値に設定されている値が変更されるように、アイコン８１〜８５内の操作を受け付けた位置で所定処理の異なる処理量の調整操作を受け付けることができる。所定処理は、例えば、カラーマップの調整に関連する処理（例えば、ＲＧＢ値の調整、不透明度の調整、制御点を設定するための信号値の調整など）とすることができる。
【００９９】
上述の構成により、画素値を調整したい箇所を医療情報（例えば、ＶＲ画像）上で直感的に選択することが可能となる。また、医療情報上で所望の箇所を選択するだけで、表示されたアイコンの位置で画素値を調整することができるので、操作時間の短縮、操作性の向上を図ることができる。
【０１００】
また、上述のように、医療情報上の所望の箇所を選択するだけで、選択した箇所の画素値を表示することができるので、表示された画素値をどのように調整すればよいかが医療情報を見ながら直感的に判断することができ、操作性が向上する。
【０１０１】
また、図１９に例示したように、画素値の調整操作を受け付けた場合、調整操作に応じた画素値を表示するので、画素値の調整結果を、医療情報を見ながら直感的に判断することができ、操作性が向上する。
【０１０２】
図２０は本実施の形態のメニュー表示処理部５２３が表示画面５１に表示するアイコンの第３例を示す模式図である。図２０の例では、アイコン８１〜８３が、円グラフの如く表示されている。例えば、アイコン８１の位置で円の外側方向の操作によりＲ値を増加させることができ、円の中心向の操作でＲ値を減少させることができる。他のアイコン８２〜８３も同様である。
【０１０３】
図２１Ａから図２１Ｇは本実施の形態のメニュー表示処理部５２３が表示画面５１に表示するアイコンの他の例を示す模式図である。図２１Ａの例は、アイコン内に占める領域の大きさに応じて画素値の調整値を表す。例えば、Ｂ値を０〜２５５とする場合、図２１Ａの例では、Ｂ値を１９２に調整したことを示す。アイコンの形状は、図２１Ａに示すように、矩形又は円形とすることができるが、これに限定されるものではなく、三角形、五角形、六角形等の多角形でもよい。また、調整値を示す領域は、矩形、円グラフ状、同心円状などとすることができる。これにより、調整値が最大値のどの程度（何％）であるかを直感的に判別することができる。また、アイコン内の調整値を示す領域と当該領域以外の領域との境界線をドラッグすることにより、画素値を調整することができるようにしてもよい。他の画素値（Ｒ値、Ｇ値、不透明度、信号値）についても同様である。
【０１０４】
図２１Ｂの例は、アイコンの形状の大きさ（アイコンの面積）によって画素値の調整値を表す。図２１Ｂに示すように、ＲＧＢそれぞれの矩形状のアイコンを表示することにより、他の画素値の調整値を対比して表すことができる。図２１Ｃの例は、円を３等分にした三つの領域でＲＧＢそれぞれのアイコンを表示している。アイコンの形状の大きさ（径の長さ）によって画素値の調整値を表し、他の画素値の調整値を対比して表すことができる。
【０１０５】
図２１Ｄの例は、ＲＧＢそれぞれのアイコンを、例えば、矩形又は円形で表示するとともに、ＲＧＢ値により得られる色でアイコンを表示する。例えば、Ｒ値が２５５、Ｇ値が２５５、Ｂ値が１２８である場合、アイコンを黄色で表示する。これにより、ＲＧＢ値を調整することによりアイコンの色が変化するので、直感的にＲＧＢ値を調整することができる。
【０１０６】
図２１Ｅの例は、アイコンの形状が矢印状をなし、例えば、上方向及び下方向それぞれに矢印の先端が向いている。アイコンの上半分の領域のどこかを操作すれば画素値（図２１Ｅの例では、Ｂ値）を増加させることができ、アイコンの下半分の領域のどこかを操作すれば画素値を減少させることができる。画素値の増減の調整方法がアイコンの形状から容易に判断することができるので、直感的に画素値を調整することができる。
【０１０７】
図２１Ｆの例は、アイコン内に占める領域の大きさに応じて画素値の調整値を表す。これにより、調整値が最大値のどの程度（何％）であるかを直感的に判別することができる。また、アイコン内の調整値を示す領域と当該領域以外の領域との境界線をドラッグすることにより、画素値を調整することができるようにしてもよい。他の画素値（Ｒ値、Ｇ値、不透明度、信号値）についても同様である。
【０１０８】
図２１Ｇの例は、ＲＧＢ値それぞれのアイコンを一つの形状（図の例では、三角形）に纏めた態様をなす。三角形の各頂点が向く方向が画素値を増加させる方向であると容易に判断することができる。ＲＧＢ値それぞれのアイコンの位置で頂点の方向（外側の方向）に操作すれば画素値を増加させ、反対の方向（内側の方向）に操作すれば画素値を減少させることができる。画素値の増減の調整方法がアイコンの形状から容易に判断することができるので、直感的に画素値を調整することができる。
【０１０９】
上述のように、メニュー表示処理部５２３は、画素値の調整操作を受け付けた場合、調整操作に応じてアイコンの表示態様を変化させることができる。アイコンの表示態様は、例えば、図２１Ａから図２１Ｇに例示したように、アイコンの形状、大きさ、色などを含む。これにより、調整結果を視覚的に判断することができ、画素値の調整を容易に行うことができる。また、一つのアイコンの中で画素値を調整することができ、また画素値の増減を直感的に行うことができ、操作性を向上させることができる。
【０１１０】
アイコンの表示態様は図２１の例に限定されない。例えば、ダイヤル又はドラムのような回転部の表面に画素値を表示させ、回転部を回転させることによって画素値を増減させるようにして所要の画素値を選択するようにしてもよい。
【０１１１】
図２２は本実施の形態の表示処理部５２の構成の他の例を示すブロック図である。図２２に示すように、表示処理部５２は、ＣＰＵ５２６、ＲＯＭ５２７、ＲＡＭ５２８、記録媒体読取部５２９などで構成することができる。記録媒体１に記録されたコンピュータプログラムを記録媒体読取部５２９で読み取ってＲＡＭ５２８に格納することができる。ＲＡＭ５２８に格納されたコンピュータプログラムをＣＰＵ５２６で実行させることにより、割当処理部５２１、所定処理部５２２、メニュー表示処理部５２３で行う処理を実行することができる。なお、ＣＰＵ５２６は、プロセッサ、プロセッサデバイス、プロセッシングユニットなどの総称とし、１又は複数で構成することができる。また、コンピュータプログラムは、記録媒体読取部５２９で読み取る構成に代えて、インターネットなどのネットワークを介してダウンロードすることもできる。
【０１１２】
次に、本実施の形態の表示装置５０の動作について説明する。
【０１１３】
図２３は本実施の形態の表示装置５０による表示処理の第１例を示すフローチャートである。以下では、便宜上処理の主体を表示処理部５２として説明する。表示処理部５２は、患者の特定情報を取得する（Ｓ１１）。特定情報の取得は、例えば、医療従事者が、操作入力部５３から患者の特定情報を入力、あるいは表示画面５１に表示された患者の一覧から所要の患者を選択することにより行うことができる。
【０１１４】
表示処理部５２は、特定された患者の医療情報をサーバ２０から取得する（Ｓ１２）。取得した医療情報は記憶部５５に記憶することができる。表示処理部５２は、患者の医療情報を表示する（Ｓ１３）。医療情報の表示は、例えば、図３に例示したものであるが、これに限定されない。
【０１１５】
表示処理部５２は、特定の操作があったか否かを判定する（Ｓ１４）。特定の操作は、例えば、マウスのカーソルのジェスチャー操作、マウスのクリック操作、キーの押下操作、あるいは、これらの組み合わせを含めることができる。特定の操作がない場合（Ｓ１４でＮＯ）、表示処理部５２は、ステップＳ１４の処理を続ける。
【０１１６】
特定の操作があった場合（Ｓ１４でＹＥＳ）、表示処理部５２は、特定の操作が医療情報の種別（例えば、ＣＲ画像、ＣＴ画像、ＭＲＩ画像、ＵＳ画像、文書及び検査データなど）に依存する操作であるか否かを判定する（Ｓ１５）。
【０１１７】
種別に依存する操作である場合（Ｓ１５でＹＥＳ）、表示処理部５２は、当該医療情報に対する操作を選択する選択メニューを表示するための操作であるか否かを判定する（Ｓ１６）。選択メニューを表示するための操作である場合（Ｓ１６でＹＥＳ）、表示処理部５２は、選択メニューを表示し（Ｓ１７）、選択メニュー内で選択された所定処理を実行し（Ｓ１８）、後述のステップＳ２１の処理を行う。
【０１１８】
選択メニューを表示するための操作でない場合（Ｓ１６でＮＯ）、表示処理部５２は、ステップＳ１４で行われた特定の操作及び当該医療情報に割り当てられた所定処理を実行し（Ｓ１９）、後述のステップＳ２１の処理を行う。医療情報の種別に依存する操作でない場合（Ｓ１５でＮＯ）、表示処理部５２は、医療情報の種別に関わらず共通する操作を選択する選択メニューを表示し（Ｓ２０）、ステップＳ１８の処理を行う。
【０１１９】
表示処理部５２は、処理を終了するか否かを判定し（Ｓ２１）、処理を終了しない場合（Ｓ２１でＮＯ）、ステップＳ１４以降の処理を続け、処理を終了する場合（Ｓ２１でＹＥＳ）、処理を終了する。
【０１２０】
上述のように、本実施の形態によれば、注目する所要の医療情報への操作を当該医療情報中又は当該医療情報の表示領域中でのジェスチャー操作又はマウスのクリック操作、当該医療情報の近傍に表示したメニューでの選択操作によって、マウスのカーソル（ポインタ）の移動距離を減らし、作業負荷の低減、作業効率の向上を図ることができる。また、必要なとき以外は表示画面（作業画面）に医療情報以外の情報が表示されることがないので、画面スペースを有効活用することが可能となり、より多くの医療情報を表示することができる。
【０１２１】
図２４及び図２５は本実施の形態の表示装置５０による表示処理の第２例を示すフローチャートである。表示処理部５２は、患者の特定情報を取得する（Ｓ３１）。特定情報の取得は、例えば、医療従事者が、操作入力部５３から患者の特定情報を入力、あるいは表示画面５１に表示された患者の一覧から所要の患者を選択することにより行うことができる。
【０１２２】
表示処理部５２は、特定された患者の医療情報をサーバ２０から取得する（Ｓ３２）。取得した医療情報は記憶部５５に記憶することができる。表示処理部５２は、患者の医療情報を表示する（Ｓ３３）。医療情報の表示は、例えば、図１５に例示したものであるが、これに限定されない。
【０１２３】
表示処理部５２は、特定の操作があったか否かを判定する（Ｓ３４）。特定の操作は、第１の特定操作でもよく第２の特定操作でもよい。特定の操作がない場合（Ｓ３４でＮＯ）、表示処理部５２は、ステップＳ３４の処理を続ける。
【０１２４】
特定の操作があった場合（Ｓ３４でＹＥＳ）、表示処理部５２は、医療従事者の操作に応じて、所望のカラーマップを適用し（Ｓ３５）、ＶＲ画像を表示する（Ｓ３６）。なお、ここでは、特定の操作が、図１５に例示した医療情報のうちＶＲ画像に対して行われたものとする。
【０１２５】
表示処理部５２は、ＶＲ画像の変換処理用の（所定処理を行う）アイコンを表示し（Ｓ３７）、変換処理用のアイコンの位置で処理量の調整操作を受け付けたか否かを判定する（Ｓ３８）。処理量の調整操作を受け付けた場合（Ｓ３８でＹＥＳ）、表示処理部５２は、アイコンを表示し（Ｓ３９）、調整操作の有無を判定する（Ｓ４０）。
【０１２６】
調整操作があった場合（Ｓ４０でＹＥＳ）、表示処理部５２は、調整された処理量に応じてＶＲ画像を変換して表示し（Ｓ４１）、処理を終了するか否かを判定する（Ｓ４２）。処理量の調整操作を受け付けていない場合（Ｓ３８でＮＯ）、あるいは、調整操作がない場合（Ｓ４０でＮＯ）、表示処理部５２は、ステップＳ４２の処理を行う。
【０１２７】
処理を終了しない場合（Ｓ４２でＮＯ）、表示処理部５２は、ＶＲ画像内の箇所を選択する操作の有無を判定し（Ｓ４３）、選択する操作があった場合（Ｓ４３でＹＥＳ）、アイコンを表示し（Ｓ４４）、選択された箇所の画素値を取得する（Ｓ４５）。ここで、アイコンとともに取得した画素値を表示してもよい。
【０１２８】
表示処理部５２は、画素値の調整操作の有無を判定し（Ｓ４６）、調整操作があった場合（Ｓ４６でＹＥＳ）、調整された画素値でＶＲ画像を表示する（Ｓ４７）。
【０１２９】
表示処理部５２は、調整された画素値に応じて調整操作アイコンの表示態様を変更し（Ｓ４８）、ステップＳ４２の処理を行う。調整操作がない場合（Ｓ４６でＮＯ）、表示処理部５２は、ステップＳ４２の処理を行う。
【０１３０】
ＶＲ画像内の箇所を選択する操作がない場合（Ｓ４３でＮＯ）、表示処理部５２は、ステップ３７以降の処理を続ける。表示処理部５２は、処理を終了する場合（Ｓ４２でＹＥＳ）、処理を終了する。
【０１３１】
上述の実施の形態では、表示装置５０が表示処理部５２を備える構成であったが、これに限定されるものではない。例えば、サーバ２０に、表示処理部５２と同様の構成を備えることができる。この場合、表示装置５０では、操作入力部５３で行われた操作をサーバ２０へ出力し、当該操作に応じてサーバ２０が所要の表示処理を行い、処理結果を当該表示装置５０へ送信するようにすればよい。
【０１３２】
本実施の形態に係るコンピュータプログラムは、コンピュータに、医療情報を表示画面に表示させるためのコンピュータプログラムであって、コンピュータに、複数の第１の特定操作それぞれに対して異なる第１の所定処理を割り当てる処理と、前記表示画面に表示された医療情報に対して、前記複数の第１の特定操作のうちの一の特定操作を行った場合、前記医療情報の種別に対応して異なる第２の所定処理を選択する選択メニューを表示する処理とを実行させる。
【０１３３】
本実施の形態に係る表示装置は、医療情報を表示画面に表示する表示装置であって、複数の第１の特定操作それぞれに対して異なる第１の所定処理を割り当てる割当処理部と、前記表示画面に表示された医療情報に対して、前記複数の第１の特定操作のうちの一の特定操作を行った場合、前記医療情報の種別に対応して異なる第２の所定処理を選択する選択メニューを表示するメニュー表示処理部とを備える。
【０１３４】
本実施の形態に係る表示方法は、医療情報を表示画面に表示する表示方法であって、複数の第１の特定操作それぞれに対して異なる第１の所定処理を割当処理部が割り当て、前記表示画面に表示された医療情報に対して、前記複数の第１の特定操作のうちの一の特定操作を行った場合、前記医療情報の種別に対応して異なる第２の所定処理を選択する選択メニューを表示処理部が表示する。
【０１３５】
本実施の形態に係るコンピュータプログラム、表示装置、及び表示方法は、複数の第１の特定操作それぞれに対して異なる第１の所定処理を割り当て、表示画面に表示された医療情報に対して、当該複数の第１の特定操作のうちの一の特定操作を行った場合、当該医療情報の種別に対応して異なる第２の所定処理を選択する選択メニューを表示する。第１の所定処理は、医療情報の種別に関係しない処理であり、第２の所定処理は、医療情報の種別に対応する処理という意味である。
【０１３６】
第１の特定操作は、例えば、マウスジェスチャー（カーソルの特定の移動操作）、あるいはマウスボタンのクリック操作などを含む。医療情報は、例えば、画像（ＣＴ、ＣＲ、ＵＳ、ＭＲＩなどのシリーズ画像又は動画像等）、文書、検査結果（検査データ）などを含む。
【０１３７】
複数の第１の特定操作のうちの一の特定操作を行うだけで、医療情報の種別に対応して異なる第２の所定処理を選択する選択メニューが表示されるので、所望の処理の選択が容易になる。
【０１３８】
本実施の形態に係るコンピュータプログラムは、コンピュータに、種別が異なる複数の医療情報毎に、複数の第２の特定操作それぞれに対して異なる第２の所定処理を割り当てる処理と、前記表示画面に表示された医療情報に対して、前記複数の第２の特定操作のうちの一の特定操作を行った場合、前記医療情報及び一の特定操作に割り当てられた第２の所定処理とを実行させる。
【０１３９】
本実施の形態に係るコンピュータプログラムは、種別が異なる複数の医療情報毎に、複数の第２の特定操作それぞれに対して異なる第２の所定処理を割り当て、表示画面に表示された医療情報に対して、当該複数の第２の特定操作のうちの一の特定操作を行った場合、当該医療情報及び当該一の特定操作に割り当てられた第２の所定処理を行う。
【０１４０】
第２の特定操作は、医療情報の種別と対応し、例えば、マウスジェスチャー（カーソルの特定の移動操作）、あるいはマウスボタンのクリック操作などを含む。なお、第１の特定操作と第２の特定操作は、同じ操作でもよく、異なる操作であってもよい。
【０１４１】
複数の第２の特定操作それぞれに異なる第２の所定処理が割り当てられているので、所望の処理を対応する特定操作を行うだけで、所望の処理を容易にすることができる。また、例えば、同じ特定操作を行った場合、医療情報の種別毎に異なる第２の所定処理を割り当てることができるので、医療情報毎に異なる処理を実行する場合に、医療情報毎に異なる操作を割り当てる必要がなく、一の特定操作で医療情報毎に所望の処理を実行することができる。これにより、異なる特定操作の数が増加することを防止することができる。
【０１４２】
本実施の形態に係るコンピュータプログラムにおいて、前記第２の所定処理は、前記表示画面に表示された医療情報に対して前記複数の第２の特定操作のうちの一の特定操作を行った場合、前記医療情報の種別に対応して異なる第２の所定処理を選択する選択メニューを表示する処理を含む。
【０１４３】
第２の所定処理は、表示画面に表示された医療情報に対して複数の第２の特定操作のうちの一の特定操作を行った場合に、当該医療情報の種別に対応して異なる第２の所定処理を選択する選択メニューを表示する処理を含む。選択メニューが表示されるので、所望の処理の選択が容易になる。
【０１４４】
本実施の形態に係るコンピュータプログラムは、コンピュータに、前記複数の第１の特定操作又は複数の第２の特定操作のうちの一の特定操作を行った場合、前記医療情報が表示された表示領域内又は近傍に前記選択メニューを表示する処理を実行させる。
【０１４５】
本実施の形態に係るコンピュータプログラムは、表示画面に表示された医療情報に対して複数の第１の特定操作又は複数の第２の特定操作のうちの一の特定操作を行った場合、当該医療情報が表示された表示領域内又は近傍に選択メニューを表示する。これにより、所望の処理を選択する際に、マウスのカーソル（ポインタ）の移動距離を減らし、作業負荷を軽減し、作業効率を向上させることができる。
【０１４６】
本実施の形態に係るコンピュータプログラムは、コンピュータに、前記複数の第１の特定操作又は複数の第２の特定操作のうちの一の特定操作を行った場合、該一の特定操作が行われた前記表示画面上の位置の周囲の領域に前記選択メニューを表示する処理を実行させる。
【０１４７】
本実施の形態に係るコンピュータプログラムは、表示画面に表示された医療情報に対して複数の第１の特定操作又は複数の第２の特定操作のうちの一の特定操作を行った場合、当該一の特定操作が行われた表示画面上の位置の周囲の領域に選択メニューを表示する。これにより、所望の処理を選択する際に、マウスのカーソル（ポインタ）の移動距離を減らし、作業負荷を軽減し、作業効率を向上させることができる。
【０１４８】
本実施の形態に係るコンピュータプログラムは、コンピュータに、前記選択メニュー内の操作項目を選択した場合、該操作項目に関連する所定処理を選択する副選択メニューを表示する処理を実行させる。
【０１４９】
本実施の形態に係るコンピュータプログラムは、選択メニュー内の操作項目を選択した場合、選択した操作項目に関連する所定処理を選択する副選択メニューを表示する。これにより、複数の所定処理が、階層化されて多岐に亘る場合でも、所望の処理を容易に選択することができる。
【０１５０】
本実施の形態に係るコンピュータプログラムにおいて、前記選択メニュー又は前記副選択メニューは、透過性を有する。
【０１５１】
選択メニュー又は副選択メニューは、透過性を有する。これにより、選択メニュー又は副選択メニューが、画像などの医療情報の一部に重ねて表示しても、医療情報の当該一部を視認することができる。
【０１５２】
本実施の形態に係るコンピュータプログラムは、コンピュータに、前記表示画面に表示されるポインタの異なる移動軌跡に対応させて前記特定操作それぞれを割り当てる処理を実行させる。
【０１５３】
本実施の形態に係るコンピュータプログラムは、表示画面に表示されるポインタの異なる移動軌跡に対応させて複数の第１の特定操作又は第２の特定操作を割り当てる。ポインタは、例えば、マウスのカーソルを含む。これにより、ポインタを移動させる操作（ジェスチャー操作）を行うだけで所望の所定処理を実行することができる。
【０１５４】
本実施の形態に係る表示システムは、本実施の形態に係る表示装置と、該表示装置に接続され、医療情報を記憶する記憶部を有するサーバとを備える。
【０１５５】
これにより、患者の医療情報を一元管理することができる。
【０１５６】
本実施の形態に係るコンピュータプログラムは、コンピュータに、医療情報を表示画面に表示させるためのコンピュータプログラムであって、コンピュータに、医療情報に対する所定処理を行うアイコンを表示する処理と、前記アイコンに対する操作を受け付けた場合、前記アイコン内の操作を受け付けた位置により前記所定処理の異なる処理量の調整操作を受け付ける処理とを実行させる。
【０１５７】
本実施の形態に係る表示装置は、医療情報を表示画面に表示する表示装置であって、医療情報に対する所定処理を行うアイコンを表示する表示処理部と、前記アイコンに対する操作を受け付けた場合、前記アイコン内の操作を受け付けた位置により前記所定処理の異なる処理量の調整操作を受け付ける調整操作受付部とを備える。
【０１５８】
本実施の形態に係る表示方法は、医療情報を表示画面に表示する表示方法であって、医療情報に対する所定処理を行うアイコンを表示し、前記アイコンに対する操作を受け付けた場合、前記アイコン内の操作を受け付けた位置により前記所定処理の異なる処理量の調整操作を受け付ける。
【０１５９】
本実施の形態に係るコンピュータプログラム、表示装置、及び表示方法は、医療情報に対する所定処理を行うアイコンを表示する。所定処理は、例えば、ＶＲ（ボリュームレンダリング）画像に対する変換に関する処理とすることができ、回転処理（３Ｄ上の自由回転又は平面上の回転）、拡大・縮小処理、平行移動処理、ＲＯＩ（Region of Interest）によるクリッピング処理などを含む。また、所定処理は、ＶＲ画像に関連する処理とすることができ、例えば、カラーマップの調整に関連する処理（例えば、ＲＧＢ値の調整、不透明度の調整、制御点を設定するための信号値の調整など）、あるいは鏡面反射率又は環境光の調整などを含めることができる。
【０１６０】
本実施の形態では、所定処理を行うアイコンに対する操作を受け付けた場合、当該アイコン内の操作を受け付けた位置により当該所定処理の異なる処理量の調整操作を受け付ける。所定処理が変換に関する処理である場合、処理量は、例えば、回転角度、拡大・縮小倍率、平行移動量（オフセット）、ＲＯＩの座標などとすることができる。
【０１６１】
本実施の形態では、上述の構成により、表示されたアイコンの位置に応じて所定処理が割り当てられるとともに、アイコン位置での操作によって所定処理の処理量を調整することができるので、所要の医療情報の近傍で所望の操作を実現でき、操作が簡単になるとともに、操作表示領域を削減することができる。
【０１６２】
本実施の形態に係るコンピュータプログラムは、コンピュータに、前記アイコンに対する操作を受け付けた場合、前記調整操作を受け付ける調整操作アイコンを表示する処理を実行させる。
【０１６３】
本実施の形態では、アイコンに対する操作を受け付けた場合、調整操作を受け付ける調整操作アイコンを表示する。アイコンに対する操作を行うだけで調整操作アイコンが表示されるので、アイコンの位置で調整操作を直ちに行うことができ、操作が簡単になり操作性が向上する。
【０１６４】
本実施の形態に係るコンピュータプログラムは、コンピュータに、前記アイコンの近傍に前記調整操作アイコンを表示する処理を実行させる。
【０１６５】
本実施の形態では、アイコンの近傍に調整操作アイコンを表示するので、例えば、マウスのカーソルの位置の移動が不要となり、あるいは移動距離を短くすることができ、操作性が向上する。なお、アイコンの近傍とは、アイコンと一部重なる位置でもよく、アイコンと接する位置でもよく、アイコンから離れた近くの位置でもよい。
【０１６６】
本実施の形態に係るコンピュータプログラムは、コンピュータに、医療情報に対する所定処理を行う複数のアイコンを表示する処理と、前記複数のアイコンのうち、一のアイコンに対する操作を受け付けた場合、前記一のアイコンの近傍に前記調整操作アイコンを表示し、前記一のアイコンを除く他のアイコンの近傍に前記調整操作アイコンを表示しない処理とを実行させる。
【０１６７】
本実施の形態では、医療情報に対する所定処理を行う複数のアイコンを表示し、複数のアイコンのうち、一のアイコンに対する操作を受け付けた場合、当該一のアイコンの近傍に調整操作アイコンを表示し、当該一のアイコンを除く他のアイコンの近傍に調整操作アイコンを表示しない。例えば、ユーザが、複数のアイコンのうち、いずれかのアイコンを選択する場合、選択したアイコンの近傍には調整操作アイコンが表示されるが、選択されていない他のアイコンの近傍には調整操作アイコンが表示されない。これにより、調整操作アイコンを選択的に表示することができ、複数のアイコンそれぞれの調整操作アイコンを表示する必要がないので、操作表示領域を削減することができる。
【０１６８】
本実施の形態に係るコンピュータプログラムは、コンピュータに、医療情報を表示画面に表示させるためのコンピュータプログラムであって、コンピュータに、医療情報に対する所定処理を行うアイコンを表示する処理と、前記表示画面に表示された医療情報内の所望の箇所を選択する操作を受け付ける処理と、前記選択する操作を受け付けた場合、前記医療情報の前記箇所での画素値を取得する処理と、前記アイコンに対する操作を受け付けた場合、前記画素値に設定される値が変更されるように、前記所定処理を受け付ける処理とを実行させる。
【０１６９】
本実施の形態に係る表示装置は、医療情報を表示画面に表示する表示装置であって、医療情報に対する所定処理を行うアイコンを表示する表示処理部と、前記表示画面に表示された医療情報内の所望の箇所を選択する操作を受け付ける選択操作受付部と、前記選択する操作を受け付けた場合、前記医療情報の前記箇所での画素値を取得する取得部と、前記アイコンに対する操作を受け付けた場合、前記画素値に設定される値が変更されるように、前記所定処理を受け付ける調整操作受付部とを備える。
【０１７０】
本実施の形態に係る表示方法は、医療情報を表示画面に表示する表示方法であって、医療情報に対する所定処理を行うアイコンを表示し、前記表示画面に表示された医療情報内の所望の箇所を選択する操作を受け付け、前記選択する操作を受け付けた場合、前記医療情報の前記箇所での画素値を取得し、前記アイコンに対する操作を受け付けた場合、前記画素値に設定される値が変更されるように、前記所定処理を受け付ける。
【０１７１】
本実施の形態では、表示画面に表示された医療情報内の所望の箇所を選択する操作を受け付けた場合、医療情報の箇所に対応する画素に対応する信号値に割り当てられた画素値を取得する。医療情報は、例えば、ＶＲ（ボリュームレンダリング）画像とすることができ、画素値は、例えば、カラーマップの調整を行う場合、対象の画素が表す元々の信号値に対して割り当てられたＲＧＢ値や不透明度、元々の信号値などとすることができる。通常ＲＧＢ値や不透明度は、１又は複数の制御点となる信号値に所望のＲＧＢ値や不透明度を設定することにより、全ての信号値とＲＧＢ値及び不透明度の対応を定義する。制御点以外の信号値は所定の手順により補完されたＲＧＢ値や不透明度が設定される。
【０１７２】
本実施の形態では、医療情報の箇所に対する所定処理を行うアイコンを表示し、アイコンに対する操作を受け付けた場合、画素値に設定される値が変更されるように、所定処理を受け付ける。例えば、医療情報の箇所に対する所定処理を行うアイコンを表示し、アイコンに対する操作を受け付けた場合、画素値に設定される値が変更されるように、アイコン内の操作を受け付けた位置で所定処理の異なる処理量の調整操作を受け付ける。所定処理は、例えば、カラーマップの調整に関連する処理（例えば、ＲＧＢ値や不透明度、信号値の調整など）とすることができる。
【０１７３】
本実施の形態では、上述の構成により、画素値を調整したい箇所を医療情報上で直感的に選択することが可能となる。また、医療情報上で所望の箇所を選択するだけで、例えば、表示されたアイコンの位置で、画素値を調整することができるので、操作時間の短縮、操作性の向上を図ることができる。
【０１７４】
本実施の形態に係るコンピュータプログラムは、コンピュータに、前記取得した画素値を表示する処理を実行させる。
【０１７５】
本実施の形態では、取得した画素値を表示する。画像上の所望の箇所を選択するだけで、選択した箇所の画素値を表示することができるので、表示された画素値をどのように調整すればよいかが画像を見ながら直感的に判断することができ、操作性が向上する。
【０１７６】
本実施の形態に係るコンピュータプログラムは、コンピュータに、前記画素値の調整操作を受け付けた場合、調整操作に応じた画素値を表示する処理を実行させる。
【０１７７】
本実施の形態では、画素値の調整操作を受け付けた場合、調整操作に応じた画素値を表示するので、画素値の調整結果を、画像を見ながら直感的に判断することができ、操作性が向上する。
【０１７８】
本実施の形態に係るコンピュータプログラムは、コンピュータに、前記画素値の調整操作を受け付けた場合、調整操作に応じて前記アイコンの表示態様を変化させる処理を実行させる。
【０１７９】
本実施の形態では、画素値の調整操作を受け付けた場合、調整操作に応じてアイコンの表示態様を変化させる。アイコンの表示態様は、例えば、アイコンの形状、大きさ、色などを含む。これにより、調整結果を視覚的に判断することができ、画素値の調整を容易に行うことができる。
【符号の説明】
【０１８０】
１０  情報処理装置
２０  サーバ
２１  制御部
２２  記憶部
２３  通信部
５０  表示装置
５１  表示画面
５２  表示処理部
５３  操作入力部
５４  通信部
５５  記憶部
５２１  割当処理部
５２２  所定処理部
５２３  メニュー表示処理部
５２６  ＣＰＵ
５２７  ＲＯＭ
５２８  ＲＡＭ
５２９  記録媒体読取部
【図１】
2018171441.tif 000003
【図２】
2018171441.tif 000004
【図３】
2018171441.tif 000005
【図４】
2018171441.tif 000006
【図５】
2018171441.tif 000007
【図６】
2018171441.tif 000008
【図７】
2018171441.tif 000009
【図８】
2018171441.tif 000010
【図９】
2018171441.tif 000011
【図１０】
2018171441.tif 000012
【図１１】
2018171441.tif 000013
【図１２】
2018171441.tif 000014
【図１３】
2018171441.tif 000015
【図１４】
2018171441.tif 000016
【図１５】
2018171441.tif 000017
【図１６】
2018171441.tif 000018
【図１７】
2018171441.tif 000019
【図１８】
2018171441.tif 000020
【図１９】
2018171441.tif 000021
【図２０】
2018171441.tif 000022
【図２１】
2018171441.tif 000023
【図２２】
2018171441.tif 000024
【図２３】
2018171441.tif 000025
【図２４】
2018171441.tif 000026
【図２５】
2018171441.tif 000027